(57)【要約】【課題】平行に設けられる横手摺体に対して縦手摺体を円滑に移動でき、縦手摺体の固定及び固定解除を容易に行うことができる浴室用手摺を提供すること。【解決手段】浴室の壁部に互いに平行に対峙して固定される横手摺体１０と、これら横手摺体の間に垂直方向に配設されると共に、横手摺体の長手方向に沿って移動可能な縦手摺体１２とを具備する浴室用手摺において、横手摺体と縦手摺体とを、横手摺体を内包すると共に、縦手摺体の端部を連結するブラケット２０にて連結する。ブラケットには、内部に横手摺体を挟持するように横手摺体表面に接触する一対のローラ３０を回転自在に軸支し、ブラケットの正面側に設けられた開口窓３２内に、一端面が横手摺体の側面に当接可能なブレーキ部材４０を移動可能に挿入し、一端がブレーキ部材の他端面に対して接離移動する押圧カム部５１を有するロックレバー５０を回動可能に軸支する。【選択図】    図２
2008073268.tif 000002
【特許請求の範囲】
【請求項１】
浴室の壁部に互いに平行に対峙して固定される横手摺体と、これら横手摺体の間に垂直方向に配設されると共に、横手摺体の長手方向に沿って移動可能な縦手摺体とを具備する浴室用手摺であって、
上記横手摺体と縦手摺体との連結部には、横手摺体を内包すると共に、縦手摺体の端部を連結するブラケットが設けられ、
上記ブラケットには、内部に上記横手摺体を挟持するように横手摺体表面に接触する一対のローラが回転自在に軸支され、ブラケットの正面側に設けられた開口窓内に、一端面が上記横手摺体の側面に当接可能なブレーキ部材が移動可能に挿入され、一端が上記ブレーキ部材の他端面に対して接離移動する押圧部を有するロック手段が備えられている、ことを特徴とする浴室用手摺。
【請求項２】
請求項１記載の浴室用手摺において、
上記一対のローラは、少なくとも縦手摺体の連結部に対して両側に配置されている、ことを特徴とする浴室用手摺。
【請求項３】
請求項１又は２記載の浴室用手摺において、
上記横手摺体の表面に軟質樹脂材が被覆されており、
上記ローラは、上記横手摺体の表面に接触する面が凹状円弧面を有する、ことを特徴とする浴室用手摺。
【請求項４】
請求項１記載の浴室用手摺において、
上記ロック手段は、上記ブラケットに回動可能に軸支され、一端に上記押圧部を形成する押圧カム部を有するロックレバーにて形成されている、ことを特徴とする浴室用手摺。
【発明の詳細な説明】
【技術分野】
【０００１】
この発明は浴室用手摺に関するもので、更に詳細には、平行に設けられる横手摺体の間に垂直方向に設けられる縦手摺体を、横手摺体に対して任意の位置に移動調節可能にした浴室用手摺に関するものである。
【背景技術】
【０００２】
一般に、浴室における浴槽に近接する壁部には、使用者の浴槽内への入浴動作を楽にするために手摺が設けられている。この手摺を設置するに当って、特に高齢者や身障者にとって入浴動作を楽にするための配慮が必要であり、例えば、一般に水平方向に設置される横手摺の他に、垂直方向に設置される縦手摺を設置するなどの配慮が必要である。
【０００３】
このような手摺構造として、平行に設けられる横手摺の所望位置に、上，下の手摺連結具を介して横手摺の間に縦手摺を垂直方向に配設し、ねじ等の固定具により連結具と横手摺とを固定する手摺が知られている（例えば、特許文献１参照）。
【特許文献１】特開２００２−３０７７８号公報（特許請求の範囲、段落番号００１５，００３７，００５７，００６２、図１，図２，図５）
【発明の開示】
【発明が解決しようとする課題】
【０００４】
ところで、浴室内において浴槽の設置位置を変更する場合があり、浴槽の設置位置により縦手摺の配設位置を変える必要がある。特に、高齢者や身障者の介護専用のバスユニットにおいては、使用者の介護形態に対応させて浴槽の位置の自由度を持たせている。
【０００５】
しかしながら、特開２００２−３０７７８号公報に記載の手摺構造においては、ねじ等の固定具を弛めるなどして上、下の連結具と横手摺の固定を解いて、所定の位置で固定具により連結具と横手摺とを固定するため、縦手摺の位置調整が面倒であるという問題があった。また、横手摺は連結具のスライド孔に単に挿通されているため、連結具を横手摺に沿ってスライドさせて縦手摺を移動させることが容易でない等の問題もあった。
【０００６】
この発明は、上記事情に鑑みてなされたもので、平行に設けられる横手摺体に対して縦手摺体を円滑に移動することができ、ロックレバーのロック，アンロック操作により、縦手摺体の固定及び固定解除を容易に行えるようにした浴室用手摺を提供することを課題とするものである。
【課題を解決するための手段】
【０００７】
上記課題を解決するために、請求項１記載の発明は、浴室の壁部に互いに平行に対峙して固定される横手摺体と、これら横手摺体の間に垂直方向に配設されると共に、横手摺体の長手方向に沿って移動可能な縦手摺体とを具備する浴室用手摺であって、  上記横手摺体と縦手摺体との連結部には、横手摺体を内包すると共に、縦手摺体の端部を連結するブラケットが設けられ、  上記ブラケットには、内部に上記横手摺体を挟持するように横手摺体表面に接触する一対のローラが回転自在に軸支され、ブラケットの正面側に設けられた開口窓内に、一端面が上記横手摺体の側面に当接可能なブレーキ部材が移動可能に挿入され、一端が上記ブレーキ部材の他端面に対して接離移動する押圧部を有するロック手段が備えられている、ことを特徴とする。
【０００８】
このように構成することにより、ブラケットに設けられる一対の回転自在なローラが、横手摺体を挟持するように横手摺体表面に接触しているので、縦手摺体を横手摺体に沿って円滑に移動することができる。また、ブラケットには、ブラケットの正面側に設けられた開口窓内に、一端面が横手摺体の側面に当接可能なブレーキ部材が移動可能に挿入し、一端がブレーキ部材の他端面に対して接離移動する押圧部を有するロック手段を設けることにより、ロック手段をロック側に操作して押圧部によりブレーキ部材を押圧してブレーキ部材を横手摺体に圧接してロック状態とし、ロック手段をアンロック側に操作してブレーキ部材の横手摺体との圧接を解除することができる。
【０００９】
この発明において、上記一対のローラは、少なくとも縦手摺体の連結部に対して両側に配置されている方が好ましい（請求項２）。
【００１０】
このように構成することにより、縦手摺体の両側に位置する一対のローラによって縦手摺体を垂直状態に支持することができる。
【００１１】
また、上記横手摺体の表面に軟質樹脂材を被覆し、上記ローラを、上記横手摺体の表面に接触する面が凹状円弧面を有する形態とする方が好ましい。
【００１２】
このように構成することにより、横手摺体の表面に軟質樹脂材を被覆することで、横手摺体を握持したときの違和感を少なくすることができ、また、ローラの横手摺体の表面に接触する面を凹状円弧面とすることで、横手摺体の表面軟質部にローラが食い込むのを防止することができる。
【００１３】
また、上記ロック手段を、上記ブラケットに回動可能に軸支され、一端に上記押圧部を形成する押圧カム部を有するロックレバーにて形成することができる（請求項４）。
【００１４】
このように構成することにより、ロック状態の際に、ロックレバーをロック側に操作して、ブレーキ部材の面に押圧カム部を圧接してロックすることができる。
【発明の効果】
【００１５】
この発明の浴室用手摺は、上記のように構成されているので、以下のような効果が得られる。
【００１６】
（１）請求項１記載の発明によれば、平行に設けられる横手摺体に対して縦手摺体を円滑に移動することができ、ロック手段のロック，アンロック操作をワンタッチで行うことができると共に、縦手摺体の移動及び固定を容易に行うことができる。
【００１７】
（２）請求項２記載の発明によれば、縦手摺体の両側に位置する一対のローラによって縦手摺体を垂直状態に支持することができるので、上記（１）に加えて、更に縦手摺の移動を円滑にすることができると共に、縦手摺体の変形やガタツキを防止することができる。
【００１８】
（３）請求項３記載の発明によれば、横手摺体を握持したときの違和感を少なくすることができ、また、横手摺体の表面軟質部にローラが食い込むのを防止することができる。したがって、上記（１），（２）に加えて、更に手摺の機能の拡大及び寿命の増大を図ることができる。
【００１９】
（４）請求項４記載の発明によれば、ロック状態の際に、ブレーキ部材の面と押圧カム部とを圧接することができるので、横手摺体に対するブレーキ部材の圧接力（押圧力）を増大することができ、縦手摺体の固定を強固にすることができる。
【発明を実施するための最良の形態】
【００２０】
以下に、この発明の最良の実施形態を添付図面に基づいて詳細に説明する。
【００２１】
図１は、この発明に係る浴室用手摺の使用状態の一例を示す概略斜視図、図２は、図１のＩ部の拡大斜視図（ａ）及び（ａ）のII−II線に沿う断面図（ｂ）、図３は、図２（ａ）のIII−III線に沿う断面図である。
【００２２】
この発明に係る浴室用手摺は、図１に示すように、浴室における浴槽１の設置位置の近傍の壁部２に互いに平行に対峙して固定される上部及び下部横手摺体１０ａ，１０ｂと、これら横手摺体１０ａ，１０ｂの間に垂直方向に配設されると共に、横手摺体１０ａ，１０ｂの長手方向に沿って移動可能な２本の縦手摺体１２とを具備する。また、横手摺体１０ａ，１０ｂ（以下に符号１０で代表する）と縦手摺体１２は、横手摺体１０を内包すると共に、縦手摺体１２の端部を連結するブラケット２０によって連結されている。この場合、横手摺体１０及び縦手摺体１２は、それぞれステンレス製のパイプ基部１３の表面に軟質樹脂材１４が被覆されて、手摺を握持したときの違和感を少なくしている。なお、手摺を取り付ける壁部２に対して直交する壁部２ａと浴槽１との間のスペース３にはバスボード４が配置されている。このバスボード４は必要に応じてスペース３内に配置され、このバスボード４をスペース３内から取り除いて、浴槽１を所定の位置に移動することができる。
【００２３】
上記ブラケット２０には、内部に横手摺体１０を挟持するように横手摺体表面に接触する一対のローラ３０が縦手摺体１２の連結部に対して両側に回転自在に軸支されている。
【００２４】
この場合、ブラケット２０は、横手摺体１０の垂直方向の半分、すなわち上部横手摺体１０においては上半分、下部横手摺体１０においては下半分を包囲する半円弧状の第１の凹溝２３ａと、ローラ３０の収容空間２３ｂを具備する第１のブラケット半体２１と、横手摺体１０の垂直方向の半分、すなわち上部横手摺体１０においては下半分、下部横手摺体１０においては上半分を包囲する半円弧状の第２の凹溝２３ｃと、ローラ３０の収容空間２３ｄと、中央部下面に縦手摺体１２の端部を嵌合する連結筒部２４を具備する第２のブラケット半体２２とからなり、第１のブラケット半体２１と第２のブラケット半体２２の表裏面にそれぞれ突設された取付片２５に穿設された拡径段付きの貫通孔２５ａを貫通する連結ねじ２６ａとこの連結ねじ２６ａに螺合するナット２６ｂによって両ブラケット半体２１，２２が連結固定されている。なお、この場合、連結ねじ２６ａの頭部２６ｃ及びナット２６ｂは、貫通孔２５ａの拡径部内に収容されて、外部への露出を少なくしている。
【００２５】
なお、第１のブラケット半体２１と第２のブラケット半体２２との接合面における表裏側に、互いに係合可能な係合凸部２７ａと係合段部２７ｂを設けるようにしてもよい（図３参照）。このように、第１のブラケット半体２１と第２のブラケット半体２２との接合面に設けた係合凸部２７ａと係合段部２７ｂとを係合させることにより、第１のブラケット半体２１と第２のブラケット半体２２を組み付ける際の位置決めを容易にすることができると共に、第１のブラケット半体２１と第２のブラケット半体２２の連結を強固にすることができる。なお、係合凸部２７ａと係合段部２７ｂを逆に設けてもよい。
【００２６】
また、両ブラケット半体２１，２２には、それぞれ縦手摺体１２の連結部に対して両側に位置するローラ収容空間２３ｂ、２３ｄと直交する部位に軸受け孔２８が穿設されており、これら軸受け孔２８を貫通するガイドピン２９ａに上記ローラ３０が回転自在に軸支されている。なお、ローラ３０を軸支したガイドピン２９ａの突出部はＥ型止め輪２９ｂによって抜け止めがなされている。
【００２７】
上記ローラ３０は、横手摺体１０の表面に接触する面が凹状円弧面３１を有する略鼓形の合成樹脂製部材によって形成されている。このように、上下に位置する一対の鼓形ローラ３０によって横手摺体１０を挟持すると共に、ローラ３０の凹状円弧面３１を横手摺体１０の表面に接触させることにより、ローラ３０と横手摺体１０との接触が円滑となるので、縦手摺体１２の移動を円滑にすることができ、また、横手摺体１０の表面軟質樹脂材１４にローラ３０が食い込むのを防止することができる。更にまた、一対のローラ３０を、縦手摺体１２の連結部に対して両側に配置することで、縦手摺体１２を垂直状態に維持することができる。したがって、縦手摺体１２の変形やガタツキを防止することができる。
【００２８】
また、第１のブラケット半体２１の正面側における取付片２５の上部側に、外方側に向かって水平フランジ２１ａが突設されている。一方、第２のブラケット半体２２の正面側における取付片２５の下部側には、水平フランジ２１ａと平行に対峙するように水平フランジ２２ａが突設されている。更にまた、第２のブラケット半体２２の正面側の中間部には、第２の凹溝２３ｃ及びローラ収容空間２３ｄに連通する開口窓３２が開設されている。この開口窓３２は、水平フランジ２２ａの上面と、開口窓３２の対向する側縁の外側近傍部位から段部３３を残して外方に延在する一対の側片３４と、水平フランジ２１ａの下面とからなる段付き矩形筒状に形成されている。
【００２９】
上記のように形成される開口窓３２内には、一端面が横手摺体１０の側面に当接可能な例えばウレタンゴム製のブレーキ部材４０が移動可能に挿入されている。また、一端がブレーキ部材４０の他端面に対して接離移動する押圧カム部５１を有するロック手段であるロックレバー５０が、水平フランジ２１ａ及び水平フランジ２２ａの対向する部位に穿設された透孔５２を貫通する垂直ガイドピン５３によって水平方向に回動可能に軸支されている。なお、この場合、垂直ガイドピン５３は、上方から水平フランジ２１ａに穿設された透孔５２を貫通し、水平フランジ２２ａの下部に突出する部分にＥ型止め輪５４が止着されている。また、垂直ガイドピン５３の頭部５３ａは、水平フランジ２１ａの透孔５２の外周側に立設された環状起立壁５５によって包囲されて、外部への露出を少なくしている。
【００３０】
また、図６に示すように、ロックレバー５０における押圧カム部５１の押圧面５１ａは、平坦状に形成されている。このように、押圧カム部５１の押圧面５１ａを平坦状に形成することにより、ロック状態における押圧面５１ａとブレーキ部材４０の押圧側面との接触面積を増大することができ、ロック状態を確実にすることができる。
【００３１】
上記のように構成される浴槽用手摺を組み付けるには、まず、壁部２に横手摺体１０すなわち上部横手摺体１０ａ及び下部横手摺体１０ｂを、それぞれ手摺ブラケット５を介して上下位置に互いに平行に固定する。
【００３２】
次に、ローラ３０が軸支された第１のブラケット半体２１と、ローラ３０が軸支され、縦手摺体１２が連結された第２のブラケット半体２２とを横手摺体１０（上部横手摺体１０ａ，下部横手摺体１０ｂ）の上下方向から包囲して横手摺体１０（上部横手摺体１０ａ，下部横手摺体１０ｂ）を内包する。この際、第１のブラケット半体２１に軸支されたローラ３０と第２のブラケット半体２２に軸支されたローラ３０とで横手摺体１０（上部横手摺体１０ａ，下部横手摺体１０ｂ）を挟持するようにしてローラ３０の凹状円弧面３１を横手摺体１０（上部横手摺体１０ａ，下部横手摺体１０ｂ）の表面に接触させる。また、この際、第２のブラケット半体２２に設けられた開口窓３２の両側片３４内にブレーキ部材４０を挿入すると共に、第１及び第２のブラケット半体２１，２２に設けられた透孔５２を貫通する垂直ガイドピン５３によってロックレバー５０を回動自在に軸支する。そして、第１及び第２のブラケット半体２１，２２の取付片２５に設けられた貫通孔２５ａ内に連結ねじ２６ａを貫通し、その突出部にナット２６ｂを螺合して、横手摺体１０（上部横手摺体１０ａ，下部横手摺体１０ｂ）に対して縦手摺体１２を垂直方向に配設すると共に、横手摺体１０（上部横手摺体１０ａ，下部横手摺体１０ｂ）の長手方向に沿って移動可能に組み付ける。
【００３３】
上記のようにして組み立てられた浴槽用手摺によれば、ロックレバー５０をロック側に回動して、ロックレバー５０の一端に設けられた押圧カム部５１の平坦押圧面５１ａをブレーキ部材４０に押圧してブレーキ部材４０を横手摺体１０（上部横手摺体１０ａ，下部横手摺体１０ｂ）の表面に圧接することで、縦手摺体１２を横手摺体１０（上部横手摺体１０ａ，下部横手摺体１０ｂ）に強固に固定することができる。また、縦手摺体１２を移動する場合は、ロックレバー５０をアンロック側に回動して、押圧カム部５１の平坦押圧面５１ａとブレーキ部材４０の係合を解くと共に、ブレーキ部材４０の横手摺体１０（上部横手摺体１０ａ，下部横手摺体１０ｂ）への圧接状態を解いて、縦手摺体１２を所定の位置に移動可能にする。したがって、浴槽１の設置位置の移動に伴って、ロックレバー５０のワンタッチ操作によって最適な位置に縦手摺体１２を容易に移動することができると共に、強固に固定することができる。
【００３４】
なお、上記実施形態では、縦手摺体１２が２本設けられる場合について説明したが、縦手摺体１２はこれに限定されるものではなく、必要に応じて１本あるいは３本以上設けるようにしてもよい。
【００３５】
また、上記実施形態では、ロック手段が押圧カム部５１を有するロックレバー５０にて形成される場合について説明したが、ロック手段はこれに限定されるものではない。例えば、内蔵されているばねの弾発力等を利用して一度押すとロックされ、もう一度押すとアンロックされるプッシュボタンや、ねじ込み式のアジャスタボルト等のようなものを適宜利用することができる。
【図面の簡単な説明】
【００３６】
【図１】この発明に係る浴室用手摺の使用状態を示す概略斜視図である。
【図２】図１のＩ部の拡大斜視図（ａ）及び（ａ）のII−II線に沿う断面図（ｂ）である。
【図３】図２（ａ）のIII−III線に沿う断面図である。
【図４】この発明における縦手摺体のロック状態及びアンロック状態を示す断面図である。
【図５】上記浴室用手摺の正面側から見た分解斜視図である。
【図６】上記浴室用手摺の裏面側から見た分解斜視図である。
【符号の説明】
【００３７】
１  浴槽
２  壁部
１０  横手摺体
１０ａ  上部横手摺体
１０ｂ  下部横手摺体
１２  縦手摺体
１３  パイプ基部
１４  軟質樹脂材
２０  ブラケット
２８  軸受け孔
２９ａ  ガイドピン
３０  ローラ
３１  凹状円弧面
３２  開口窓
４０  ブレーキ部材
５０  ロックレバー（ロック手段）
５１  押圧カム部
５１ａ  平坦押圧面
５３  垂直ガイドピン
【図１】
2008073268.tif 000003
【図２】
2008073268.tif 000004
【図３】
2008073268.tif 000005
【図４】
2008073268.tif 000006
【図５】
2008073268.tif 000007
【図６】
2008073268.tif 000008